(57)【要約】【課題】複数の録画部を装置本体に備えた録画装置のタイマー予約録画の利便性の向上をはかる。【解決手段】複数の録画部１０を装置本体２に備え、この複数の録画部１０それぞれにタイマー予約録画を登録可能な録画装置１に関し、まず、複数の録画部１０毎のタイマー予約録画それぞれを、録画部１０毎に独立して登録又は表示する。【選択図】  図２
2004236209.tif 000002
【特許請求の範囲】
【請求項１】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
チューナもしくは外部入力手段の少なくとも何れか一方又は両方の映像音響信号出力手段と、
前記第１，第２の録画部に対して、該チューナもしくは該外部入力手段の何れか一方から入手された映像音響信号の供給を制御する入力手段と、
前記第１，第２の録画部毎のタイマー予約録画が登録される予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と
を備えていることを特徴とする録画装置。
【請求項２】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
単一のチューナと、
前記第１，第２の録画部に対して、該チューナにより受信された映像音響信号の供給を制御する入力手段と、
前記第１，第２の録画部毎のタイマー予約録画が登録される予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、
前記予約録画登録手段に登録されているタイマー予約録画の内容を、前記第１，第２の録画部毎に分けて表示する表示手段と
を備えていることを特徴とする録画装置。
【請求項３】
前記予約録画登録手段は、
登録可能なタイマー予約録画の件数が、前記第１，第２の録画部毎に予め制限されている
ことを特徴とする請求項１又は２記載の録画装置。
【請求項４】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
単一のチューナと、
前記第１，第２の録画部に対して、該チューナにより受信された映像音響信号の供給を制御する入力手段と、
前記第１，第２の録画部毎のタイマー予約録画が登録される予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、
該予約録画実行手段による、前記第１，第２の録画部の何れか一方の録画部に対応するタイマー予約録画の実行中、他方の録画部に対応するタイマー予約録画の開始時刻になったことを検出する予約録画重複検出手段と、
該予約録画重複検出手段による重複検出に基づき、当該他方の録画部に対応するタイマー予約録画が実行不可である旨を報知する報知手段と
を備えていることを特徴とする録画装置。
【請求項５】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
単一のチューナと、
前記第１，第２の録画部に対して、該チューナにより受信された映像音響信号の供給を制御する入力手段と、
前記第１，第２の録画部毎のタイマー予約録画が登録される予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、
前記第１，第２の録画部の中から優先録画部を設定する優先録画部設定手段と、
前記第１，第２の録画部の何れか一方の録画部に対応するタイマー予約録画の開始時刻が、他方の録画部に対応するタイマー予約録画の開始時刻の所定時間範囲内に含まれることを検出する開始時刻一致検出手段と、
該開始時刻一致検出手段による一致検出に基づき、前記優先録画部設定手段によって設定された優先録画部に対応するタイマー予約録画を、前記予約録画実行手段に実行させる実行制御手段と
を備えていることを特徴とする録画装置。
【請求項６】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
単一のチューナと、
前記第１，第２の録画部に対して、該チューナにより受信された映像音響信号の供給を制御する入力手段と、
前記第１，第２の録画部毎のタイマー予約録画が登録されるタイマー予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該録画予約に対応する録画部を録画作動させる予約録画実行手段と、
該予約録画実行手段によって前記第１，第２の録画部に記録した映像音響信号に関する番組の履歴情報を記憶する履歴情報記憶手段と、
前記第１，第２の録画部の中から優先録画部を設定する優先録画部設定手段と、
前記第１，第２の録画部の何れか一方の録画部に対応するタイマー予約録画の開始時刻が、他方の録画部に対応するタイマー予約録画の開始時刻の所定時間範囲内に含まれることを検出する開始時刻一致検出手段と、
該開始時刻一致検出手段による一致検出毎に、前記優先記録部設定手段により優先記録部として設定されるべき録画部の設定案内のために、前記履歴情報記憶手段の履歴情報又は当該履歴情報に基づく番組リストを報知する案内報知手段と、
該開始時刻一致検出手段の一致検出毎に、前記優先記録部設定手段によって設定された優先記録部に対応するタイマー予約録画を、前記予約録画実行手段に実行させる実行制御手段と
を備えていることを特徴とする録画装置。
【請求項７】
映像音響信号を記録媒体に記録する第１の録画部と、
映像音響信号を該第１の録画部と同一もしくは異なるメディア形式の記録媒体に記録する第２の録画部と
を装置本体に備えている録画装置であって、
単一のチューナと、
前記第１，第２の録画部に対して、該チューナにより受信された映像音響信号の供給を制御する入力手段と、
前記第１，第２の録画部毎のタイマー予約録画が登録される予約録画登録手段と、
該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該録画予約に対応する録画部を録画作動させる予約録画実行手段と、
前記予約録画登録手段に登録されたタイマー予約録画に基づき、前記第１，第２の録画部の何れか一方の録画部に対応するタイマー予約録画の予約録画時刻が、他方の録画部に対応する予約録画時刻と重複することを検出する予約録画時刻重複検出手段と、
該予約録画時刻重複検出手段によって予約録画時刻の重複が検出された場合に、当該重複したタイマー予約録画それぞれによる前記チューナの選局が互いに同一であるか否かを検出する選局一致検出手段と、
該予約録画時刻重複検出手段による予約録画時刻の重複が検出される毎に、該選局一致検出手段が選局の一致を検出した場合には、前記第１，第２の録画部それぞれのタイマー予約録画を前記予約録画実行手段に行わせる一方、該選局一致検出手段が選局の不一致を検出した場合には、前記第１，第２の録画部それぞれのタイマー予約録画の中の予約開始時刻が先の予約録画を前記予約録画実行手段に行わせる実行制御手段と
を備えていることを特徴とする録画装置。
【発明の詳細な説明】
【０００１】
【発明の属する技術分野】
本発明は、複数の録画部（録画機器）を装置本体に備え、この複数の録画部それぞれにタイマー予約録画を登録可能な録画装置に関するものである。
【０００２】
【従来の技術】
従来、録画装置として、装置本体に、例えば、ＶＴＲ（Ｖｉｄｅｏ  Ｔａｐｅ  Ｒｅｃｏｒｄｅｒ）とＨＤＤ（Ｈａｒｄ  Ｄｉｓｋ  Ｄｒｉｖｅ）といった、記録媒体（メディア）が異なる複数の録画部（すなわち、第１の録画部，第２の録画部，・・・）を備えた複合機器構成の録画装置が知られている。
【０００３】
この種の録画装置では、複数の録画部それぞれのタイマー予約録画を録画部の区別なく混在させて、録画装置全体としてタイマー予約録画を登録することが可能になっている。
【０００４】
そのため、複数の録画部それぞれに対し、内蔵チューナによって受信可能な番組のタイマー予約録画を登録する際には、録画部が異なっている場合であっても、録画装置は、装置全体から眺めて、予約録画時刻（すなわち、タイマー予約録画開始時刻とタイマー予約録画終了時刻との間）が重複するタイマー予約録画は予め登録させない構成になっている。
【０００５】
【特許文献１】
特開平６−７６４１０号公報
【０００６】
【発明が解決しようとする課題】
しかしながら、上述した装置本体に複数の録画部を備えた複合機器構成の録画装置にあっても、録画装置全体としての登録可能なタイマー予約録画の総数には限りがある。そのため、複数の録画部に対し、録画部それぞれの区別なく、それぞれの録画部に対するタイマー予約録画を混在させて、録画装置全体としてタイマー予約録画を登録可能にすると、次のような問題点が発生する。
【０００７】
例えば、１台の複数の録画部を備えた録画装置を、互いに利用する録画部が異なる二人のユーザによって使用する場合を想定すると、一方のユーザが、一方の録画部に対しタイマー予約録画を多数登録してしまった場合には、他方のユーザが、他方の録画部に対するタイマー予約録画を登録しようとしても、その登録可能なタイマー予約録画の殆どを、一方のユーザによる一方の録画部に対するタイマー予約録画で使用されてしまっているので、登録可能なタイマー予約録画の数が僅かになってしまい、他方の録画部を有効に利用できない可能性があった。
【０００８】
また、例えば、装置本体に録画部とともに設けられた単一チューナにより、所望の番組についてタイマー予約録画を登録する際には、録画部が異なっている場合であっても、録画装置は、装置全体から眺めて、予約録画時刻が重複するタイマー予約録画は、単一チューナでは登録させない構成となっているため、次のような問題点の発生が予想される。
【０００９】
例えば、所望の番組についてのタイマー予約録画の設定方法も、日付及び予約録画時刻を指定して所望の番組（又はチャンネル）のタイマー予約録画を登録する通常のタイマー予約録画、１週間における曜日及び時間帯を指定して所望の番組のタイマー予約録画を登録する週間タイマー予約録画、又は毎日における予約録画時刻を指定して所望の番組のタイマー予約録画を登録する毎日タイマー予約録画といった、種々の方法がある。
【００１０】
そのため、例えば、週間タイマー予約録画の予約録画時刻と、毎日タイマー予約録画の予約録画時刻が重なってしまうと、１週間における１日だけの予約録画時刻の重複のために毎日タイマー予約録画が行えず、タイマー予約録画の設定が不便であった。
【００１１】
本発明は、上述した問題点を鑑みなされたものであって、複数の録画部を装置本体に備え、この複数の録画部それぞれにタイマー予約録画を登録可能な録画装置に関し、タイマー予約録画の利便性の向上をはかった録画装置を提供することを目的とする。
【００１２】
さらに具体的には、本発明は、タイマー予約録画の利便性の向上をはかるために、次に詳述するような録画装置を提供することを目的とする。
【００１３】
まず、本発明は、複数の録画部を装置本体に備え、この複数の録画部それぞれにタイマー予約録画を登録可能な録画装置に関し、まず、複数の録画部毎のタイマー予約録画それぞれを、録画部毎に独立して登録又は表示することが可能な録画装置を提供することを目的とする。
【００１４】
また、本発明は、その上で、登録可能なタイマー予約録画の数が予め録画部毎に独立して制限され、複数の録画部それぞれを有効に利用することができる録画装置を提供することを目的とする。
【００１５】
また、本発明は、複数の録画部毎のタイマー予約録画それぞれを、録画部毎に独立して登録又は表示することが可能であることに関連し、一方の録画部がチューナからのタイマー予約録画を実行している場合に、この一方の録画部のタイマー予約録画と異なるチャンネルで、他の録画部がチューナからのタイマー予約録画を開始しようとしても、その実行を行わせないとともに、この実行できない他の録画部によるタイマー予約録画を報知して、ユーザにそれが本来欲しているタイマー予約録画であるか否かを判断させることができる録画装置を提供することを目的とする。
【００１６】
また、本発明は、前述の、複数の録画部毎のタイマー予約録画それぞれを、録画部毎に独立して登録又は表示することが可能である録画装置に係り、複数の録画部それぞれのタイマー予約録画の開始時刻が一定時間の範囲で同一とみなされる場合に、何れの録画部を優先するかを設定しておくことでき、予約録画時刻が重複する場合でも、確実に所望のタイマー予約録画を実行させることができる録画装置を提供することを目的とする。
【００１７】
また、本発明は、上述の、複数の録画部それぞれのタイマー予約録画の開始時刻が一定時間の範囲にて同一だった場合に、何れの録画部を優先するかを設定しておくことできる録画装置に係り、優先する録画部の設定に際し、履歴情報と番組リストの少なくもいずれか一方を報知することにより、確実に所望のタイマー予約録画を実行させることができる録画装置を提供することを目的とする。
【００１８】
また、本発明は、複数の録画部それぞれの予約録画時刻が重複している場合でも、タイマー予約録画すべきチャンネルが同一チャンネルの場合には、同時にタイマー予約録画を可能とし、複数の記録媒体（メディア）に同時に録画することができる録画装置を提供することを目的とする。
【００１９】
【課題を解決するための手段】
上記目的を達成するために、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、チューナもしくは外部入力手段の少なくとも何れか一方又は両方の映像音響信号出力手段と、前記第１，第２の録画部に対して、該チューナもしくは該外部入力手段の何れか一方から入手された映像音響信号の供給を制御する入力手段と、前記第１，第２の録画部毎のタイマー予約録画が登録される予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段とを備えていることを特徴とする。
【００２０】
また、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、単一のチューナと、前記第１，第２の録画部に対して、該チューナにより受信された映像音響信号の供給を制御する入力手段と、前記第１，第２の録画部毎のタイマー予約録画が登録される予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、前記予約録画登録手段に登録されているタイマー予約録画の内容を、前記第１，第２の録画部毎に分けて表示する表示手段とを備えていることを特徴とする。
【００２１】
また、本発明の録画装置は、前述した予約録画登録手段は、登録可能なタイマー予約録画の件数が、前記第１，第２の録画部毎に予め制限されていることを特徴とする。
【００２２】
また、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、単一のチューナと、前記第１，第２の録画部に対して、該チューナにより受信された映像音響信号の供給を制御する入力手段と、前記第１，第２の録画部毎のタイマー予約録画が登録される予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、該予約録画実行手段による、前記第１，第２の録画部の何れか一方の録画部に対応するタイマー予約録画の実行中、他方の録画部に対応するタイマー予約録画の開始時刻になったことを検出する予約録画重複検出手段と、該予約録画重複検出手段による重複検出に基づき、当該他方の録画部に対応するタイマー予約録画が実行不可である旨を報知する報知手段とを備えていることを特徴とする。
【００２３】
また、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、単一のチューナと、前記第１，第２の録画部に対して、該チューナにより受信された映像音響信号の供給を制御する入力手段と、前記第１，第２の録画部毎のタイマー予約録画が登録される予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該タイマー予約録画に対応する録画部を録画作動させる予約録画実行手段と、前記第１，第２の録画部の中から優先録画部を設定する優先録画部設定手段と、前記第１，第２の録画部の何れか一方の録画部に対応するタイマー予約録画の開始時刻が、他方の録画部に対応するタイマー予約録画の開始時刻の所定時間範囲内に含まれることを検出する開始時刻一致検出手段と、該開始時刻一致検出手段による一致検出に基づき、前記優先録画部設定手段によって設定された優先録画部に対応するタイマー予約録画を、前記予約録画実行手段に実行させる実行制御手段とを備えていることを特徴とする。
【００２４】
また、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、チューナと、前記第１，第２の録画部に対して、該チューナにより受信された映像音響信号の供給を制御する入力手段と、前記第１，第２の録画部毎のタイマー予約録画が登録されるタイマー予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該録画予約に対応する録画部を録画作動させる予約録画実行手段と、該予約録画実行手段によって前記第１，第２の録画部に記録した映像音響信号に関する番組の履歴情報を記憶する履歴情報記憶手段と、前記第１，第２の録画部の中から優先録画部を設定する優先録画部設定手段と、前記第１，第２の録画部の何れか一方の録画部に対応するタイマー予約録画の開始時刻が、他方の録画部に対応するタイマー予約録画の開始時刻の所定時間範囲内に含まれることを検出する開始時刻一致検出手段と、該開始時刻一致検出手段による一致検出毎に、前記優先記録部設定手段により優先記録部として設定されるべき録画部の設定案内のために、前記履歴情報記憶手段の履歴情報又は当該履歴情報に基づく番組リストを報知する案内報知手段と、該開始時刻一致検出手段の一致検出毎に、前記優先記録部設定手段によって設定された優先記録部に対応するタイマー予約録画を、前記予約録画実行手段に実行させる実行制御手段とを備えていることを特徴とする。
【００２５】
また、本発明の録画装置は、映像音響信号を記録媒体に記録する第１の録画部と、映像音響信号を該第１の録画部と同一もしくは異なるメディア形式の記録媒体に記録する第２の録画部とを装置本体に備えている録画装置であって、単一のチューナと、前記第１，第２の録画部に対して、該チューナにより受信された映像音響信号の供給を制御する入力手段と、前記第１，第２の録画部毎のタイマー予約録画が登録される予約録画登録手段と、該予約録画登録手段に登録されたタイマー予約録画に基づき、前記チューナを作動制御し、該チューナによって受信された映像音響信号が、当該タイマー予約録画に対応した録画部に供給されるべく前記入力手段を作動させ、当該録画予約に対応する録画部を録画作動させる予約録画実行手段と、前記予約録画登録手段に登録されたタイマー予約録画に基づき、前記第１，第２の録画部の何れか一方の録画部に対応するタイマー予約録画の予約録画時刻が、他方の録画部に対応する予約録画時刻と重複することを検出する予約録画時刻重複検出手段と、該予約録画時刻重複検出手段によって予約録画時刻の重複が検出された場合に、当該重複したタイマー予約録画それぞれによる前記チューナの選局が互いに同一であるか否かを検出する選局一致検出手段と、該予約録画時刻重複検出手段による予約録画時刻の重複が検出される毎に、該選局一致検出手段が選局の一致を検出した場合には、前記第１，第２の録画部それぞれのタイマー予約録画を前記予約録画実行手段に行わせる一方、該選局一致検出手段が選局の不一致を検出した場合には、前記第１，第２の録画部それぞれのタイマー予約録画の中の予約開始時刻が先の予約録画を前記予約録画実行手段に行わせる実行制御手段とを備えていることを特徴とする。
【００２６】
【発明の実施の形態】
以下、添付図面を参照しながら、本発明の録画装置の好適な実施の形態について、録画再生装置を例に説明する。
【００２７】
図１は、本発明の一実施の形態による録画再生装置の外観正面図である。
録画再生装置１は、その装置本体２内に、複数の録画／再生部（録画部に対応）１０が設けられている。
【００２８】
録画再生装置１の装置本体２内には、この複数の録画部１０として、ＶＣＲ１１からなる第１の録画部と、ＤＶＤ（Ｄｉｇｉｔａｌ  Ｖｅｒｓａｔｉｌｅ  Ｄｉｓｋ）レコーダ１２からなる第２の録画部とが設けられている。本実施の形態の場合では、ＤＶＤレコーダ１２は、供給された映像音響信号を、例えば、記録媒体としてのＤＶＤ−Ｒ（Ｄｉｇｉｔａｌ  Ｖｅｒｓａｔｉｌｅ  Ｄｉｓｃ  Ｒｅｃｏｒｄａｂｌｅ）ディスクにＶｉｄｅｏ方式によって、また、記録媒体としてのＤＶＤ−ＲＷ（Ｄｉｇｉｔａｌ  Ｖｅｒｓａｔｉｌｅ  Ｄｉｓｃ  Ｒｅｗｒｉｔａｂｌｅ）ディスクにＶＲ方式又はＶｉｄｅｏ方式によって記録可能な構成になっている。
【００２９】
図１において、装置本体２の正面の上側寄り部分には、第１の録画部としてのＶＣＲ１１の記録媒体であるビデオカセットのカセット装填口３、第２の録画部としてのＤＶＤレコーダ１２の記録媒体であるＤＶＤディスクのディスク装填用トレイ４が左右に分かれて配置されている。
【００３０】
また、装置本体２の正面の下側寄り部分には、中央に配置された表示／操作部５を挟んで左右両側に、ＶＣＲ１１の再生，停止，テープ取出しといった本体ＶＣＲ操作スイッチ２１と、ＤＶＤレコーダ１２の再生，停止，装填用のトレイ開／閉といった本体ＤＶＤ操作スイッチ２２とが配置され、さらに、この本体ＶＣＲ操作スイッチ２１に並べて側方に本体電源スイッチ２３と、下方に外部からの映像音響信号を録画再生装置１に取り込むための外部入力端子２４が配置されている。さらにまた、図示せぬ装置本体２の背面には、ＶＣＲ１１によって再生されたビデオカセットに記録された映像音響信号、又はＤＶＤレコーダ１２によって再生されたＤＶＤディスクに記録された映像音響信号を外部に出力するための外部出力端子２５（図２参照）が設けられている。
【００３１】
一方、前述の表示／操作部５には、中央にＶＣＲ／ＤＶＤ出力切換スイッチ２６が配置され、その両側にはそれぞれＬＣＤ（Ｌｉｑｕｉｄ  Ｃｒｙｓｔａｌ  Ｄｉｓｐｌａｙ）又はＥＬＤ（Ｅｌｅｃｔｒｏ  Ｌｕｍｉｎｅｓｃｅｎｃｅ  Ｄｉｓｐｌａｙ）等の表示パネルによって構成された一対の表示部２７、２８が設けられている。
【００３２】
さらに、この表示／操作部５には、録画再生装置１に付属のリモコン操作部６０（図２参照）から発信されるＲ／Ｃコードを受信するためのＲ／Ｃ信号受信部２９が設けられている。
【００３３】
次に、図１により説明した録画再生装置１のシステム構成について、図２により説明する。
【００３４】
図２は、本実施の形態の録画再生装置のシステム構成図である。
なお、その説明にあたって、図１により説明した構成要素については、同一符号を付して説明する。
【００３５】
本実施の形態の録画再生装置１は、複数の録画部１０としてのＶＣＲ１１，ＤＶＤレコーダ１２に加え、例えば、地上波テレビジョン放送を受信するためのチューナ部３１が装置本体２内に設けられ、リモコン操作部６０が装置本体２とは別体に設けられた構成になっている。
【００３６】
録画再生装置１の外部入力端子２４には、例えばＢＳ（Ｂｒｏａｄｃａｓｔｉｎｇ  Ｓａｔｅｌｌｉｔｅ）チューナ，ＣＳ（Ｃｏｍｍｕｎｉｃａｔｉｏｎ  Ｓａｔｅｌｌｉｔｅ）チューナ等といった図示せぬ外部機器が接続可能になっており、その外部入力端子２４からは外部機器から出力される映像音響信号を取り込める構成になっている。
【００３７】
これに対し、録画再生装置１の外部出力端子２５には、表示出力部８５が信号線８２を介して接続される。表示出力部８５は、例えば、ＰＤＰ（Ｐｌａｓｍａ  Ｄｉｓｐｌａｙ  Ｐａｎｅｌ），又はＬＣＤ（Ｌｉｑｕｉｄ  Ｃｒｙｓｔａｌ  Ｄｉｓｐｌａｙ）等からなる表示部８６と、スピーカ部８７とが設けられ、録画再生装置１からの供給される映像音響信号を、表示信号と音声信号とに変換し、表示部８６に表示出力し、スピーカ部８７より音声出力する。
【００３８】
ところで、チューナ部３１は、後述する制御部４０からの制御信号に基づいて、その起動／停止（電源ＯＮ／ＯＦＦ）に加え、その選局を制御される。
【００３９】
チューナ部３１から出力される映像音響信号は、外部入力端子２４から取り込んだ映像音響信号とともに、内部入力スイッチ部３２に供給される。
【００４０】
内部入力スイッチ部３２は、後述する制御部４０からの制御信号に基づいて、チューナ部３１からの映像音響信号、及び外部入力端子２４から取り込んだ映像音響信号を、第１の録画部としてのＶＣＲ１１の録画入力、第２の録画部としてのＤＶＤレコーダ１２の録画入力に振り分けて供給する。
【００４１】
図３は、内部入力スイッチ部の構成図である。
ＶＣＲ１１，ＤＶＤレコーダ１２は、それぞれチューナ部３１と同様にして、後述する制御部４０からの制御信号に基づいて、その電源ＯＮ／ＯＦＦが制御され、録画ポーズ（録画一時停止），録画開始，録画停止といったタイマー予約録画で利用される作動状態が制御される。
【００４２】
ＶＣＲ１１の再生出力，ＤＶＤレコーダ１２の再生出力は、外部出力スイッチ部３３に出力される。
【００４３】
外部出力スイッチ部３３は、後述する制御部４０からの制御信号に基づいて、ＶＣＲ１１の再生出力の映像音響信号、ＤＶＤレコーダ１２の再生出力の映像音響信号の中のいずれか一方を、ＯＳＤ（Ｏｎ  Ｓｃｒｅｅｎ  Ｄｉｓｐｌａｙ）信号合成部３５に選択的に供給する。
【００４４】
ＯＳＤ信号合成部３５は、ＯＳＤ信号生成部３４によってリモコン操作部６０の各種操作スイッチ６１の操作に合わせて適宜生成されたＯＳＤ信号を、外部出力スイッチ部３３から供給されるＶＣＲ１１の再生出力の映像音響信号又はＤＶＤレコーダ１２の再生出力の映像音響信号に合成し、この合成した映像音響信号を、外部出力端子２５を介して信号線８２によって接続された表示出力部８５の表示部８６に出力する。なお、ＯＳＤ信号合成部３５からは、ＶＣＲ１１又はＤＶＤレコーダ１２の再生出力の映像音響信号が出力されていない場合は、ＯＳＤ信号が単独で出力される。
【００４５】
ＯＳＤ信号生成部３４は、次に述べる制御部４０からの制御信号に基づいて、後述のリモコン操作部６０に設けられた録画再生装置１の各種操作スイッチ６１の操作内容に対応させて、次操作情報、又は登録されたタイマー予約録画の内容確認情報、等の各種情報についての映像音響信号を生成し、ＯＳＤ信号合成部３５に出力する。
【００４６】
制御部４０は、Ｒ／Ｃ信号受信部２９を介して受信されるリモコン操作部６０から発信される各種操作スイッチ６１の操作に対応したＲ／Ｃ信号に基づき、装置本体２に設けられたＶＣＲ１１，ＤＶＤレコーダ１２，チューナ部３１，ＯＳＤ信号生成部３４等といった録画再生装置１の前述した各部の作動を制御する。
【００４７】
制御部４０は、ＣＰＵ，ＲＯＭ，ＲＡＭ，タイマー等を備えたマイクロコンピュータによって構成されている。
【００４８】
一方、リモコン操作部６０は、録画再生装置１の各種操作を指定／指示するための各種操作スイッチ６１、ユーザによる各種操作スイッチ６１の操作内容等を表示するためのＬＣＤ等によって構成された表示部６２、各種操作スイッチ６１の中のいずれか操作スイッチが操作されると、この操作スイッチに対応したＲ／ＣコードのＲ／Ｃ信号を例えば赤外線無線によって送信出力するＲ／Ｃ信号発信部６３、等を備えている。
【００４９】
なお、図２においては、多々の操作スイッチからなる各種操作スイッチ６１の中、説明簡略のため、電源スイッチ６６，ＶＴＲ／ＤＶＤリモコン切換スイッチ６７，ＶＴＲ／ＤＶＤ出力切換スイッチ６８，タイマー予約録画の設定の際に利用され、チューナ選局、時刻設定、チャンネル設定のための複数の操作スイッチによって構成されるタイマー予約録画設定スイッチ６９，タイマー予約録画の設定内容を確認するための予約確認スイッチ７０，タイマー予約録画の際に複数の録画部１０（すなわち、ＶＣＲ１１，ＤＶＤレコーダ１２）の中で優先的にタイマー予約録画が実行される録画部１０（すなわち、ＶＣＲ１１，ＤＶＤレコーダ１２）を選択設定するための優先タイマー予約選択スイッチ７１，ＶＣＲ操作スイッチ７２，ＤＶＤ操作スイッチ７３，これら各スイッチの操作に基づき表示出力部８５の表示部８６画面上にＯＳＤ表示される情報を選択したり、登録したりする場合等に利用される上下／左右の方向スイッチ７４ｕ，７４ｄ，７４ｌ，７４ｒ，決定スイッチ７５が示されている。
【００５０】
そして、電源スイッチ６６，ＶＴＲ／ＤＶＤ出力切換スイッチ６８，ＶＣＲ操作スイッチ７２，ＤＶＤ操作スイッチ７３は、装置本体２に設けられた本体電源スイッチ２３，ＶＴＲ／ＤＶＤ出力切換スイッチ２６，本体ＶＣＲ操作スイッチ２１，本体ＤＶＤ操作スイッチ２２に対応している。
【００５１】
本実施の形態の録画再生装置１は以上のように構成されるが、次に、この制御手段４０によるタイマー予約録画についての制御構成について、録画再生装置１の作用とともに説明する。
【００５２】
その説明にあたっては、録画再生装置１によって、チューナ部３１で受信可能な所望の番組のタイマー予約録画を行い、録画再生装置１各部がその登録されたタイマー予約録画を実行する場合を例に説明する。
【００５３】
まず、タイマー予約録画の録画再生装置１への登録について説明する。
ユーザは、タイマー予約録画の登録に当たっては、リモコン操作部６０のＶＴＲ／ＤＶＤリモコン切換スイッチ６７を、タイマー予約録画を行わせたい機器に合わせて操作して、タイマー予約録画を行う録画部１０を選択する。
【００５４】
この場合では、ユーザはスイッチ６７をＶＣＲ１１側に操作して、リモコン操作部６０からはＶＣＲ選択に対応するＲ／Ｃ信号がＲ／Ｃ信号発信部６３から送信されたものとする。
【００５５】
このＶＴＲ／ＤＶＤリモコン切換スイッチ６７の操作信号に対応するＲ／Ｃ信号が録画再生装置１のＲ／Ｃ信号受信部２９で受信されると、録画再生装置１の制御手段４０は、以降その設定が解除されるまで、リモコン操作部６０から送信される各種操作スイッチ６１の中の所定の操作スイッチ、例えばタイマー予約録画設定スイッチ６９の操作に対応するＲ／Ｃ信号を、ＶＣＲ１１に関しての予約操作のためのＲ／Ｃ信号として取り扱う構成になっている。
【００５６】
したがって、ユーザは、タイマー予約録画設定スイッチ６９の操作によって、通常のタイマー予約録画、週間タイマー予約録画、又は毎日タイマー予約録画といった、種々の方法によって、所望の番組についてのタイマー予約録画の設定がＶＣＲ１１側に対して行える。その設定操作は、例えば表示出力部８５の表示部８６に表示される操作案内や入力内容、又はタイマー予約録画を行うＶＣＲ１１に対応させて装置本体２のＶＣＲ１１側の表示部２７に表示される操作案内や入力内容を確認しながら、行うことができる。本実施の形態の場合は、その操作案内として、設定に際して、ＶＣＲ１１へのタイマー予約録画の登録可能数が事前に表示出力部８５の表示部８６やＶＣＲ１１側の表示部２７に表示される。このＶＣＲ１１へのタイマー予約録画の登録可能数は、制御部４０によって、ＶＣＲ１１へのタイマー予約録画の登録可能定数から既に登録されているタイマー予約録画数を差し引いて演算される。
【００５７】
そして、このタイマー予約録画設定スイッチ６９の操作によって入力されたタイマー予約録画の設定内容は、制御部４０のＲＡＭに設けられたタイマー予約録画エリアのＶＣＲ予約録画エリアに登録される。
【００５８】
このＶＣＲ予約録画エリアへのタイマー予約録画の設定内容の登録にあたっても、タイマー予約録画エリアのＶＣＲ予約録画エリアのタイマー予約録画登録数が前述した登録可能定数を超えないか制御部４０によって事前確認された後、行われる。その際、タイマー予約録画エリアにおけるＶＣＲ予約録画エリアのタイマー予約録画登録数が登録可能定数に達していたならば、今回のタイマー予約録画の設定内容が現状では登録不可な旨、表示出力部８５の表示部８６やＶＣＲ１１側の表示部２７に案内され、既に登録されているタイマー予約録画の削除や、ＤＶＤレコーダ１２側でのタイマー予約録画の登録をユーザに促す。
【００５９】
なお、ＶＴＲ／ＤＶＤリモコン切換スイッチ６７をＤＶＤレコーダ１２側に操作して、ＤＶＤレコーダ１２のタイマー予約録画を登録する場合も、同様にタイマー予約録画エリアにおけるＤＶＤ予約録画エリアへのタイマー予約録画登録数がＤＶＤレコーダ１２側の登録可能定数を超えないか、制御部４０によって管理される。
【００６０】
このように、本実施の形態の録画再生装置１では、ＶＣＲ１１，ＤＶＤレコーダ１２毎にそれぞれ登録可能定数が設けられ、それぞれのタイマー予約録画登録数がそれぞれの登録可能定数を超えないように制御部４０によって管理されている。この結果、ユーザは、ＶＣＲ１１，ＤＶＤレコーダ１２それぞれに登録されているタイマー予約の数を確認でき、ＶＣＲ１１，ＤＶＤレコーダ１２の一方にタイマー予約録画の登録が偏るのを防止でき、ＶＣＲ１１，ＤＶＤレコーダ１２双方ともそれぞれを有効に利用することができる。
【００６１】
また、ユーザは、予約確認スイッチ７０を操作して、タイマー予約録画エリアのＶＣＲ予約録画エリア，ＤＶＤ予約録画エリアそれぞれに登録されているタイマー予約録画個々の登録内容を確認することができる。
【００６２】
図４は、予約確認スイッチの操作に基づくタイマー予約録画の登録内容の表示例を示したものである。
【００６３】
図４の場合は、予約確認スイッチ７０の操作に基づき表示出力部８５の表示部８６にＯＳＤ表示されたタイマー予約録画の登録内容を表している。
【００６４】
この場合、リモコン操作部６０の上下の方向スイッチ７４ｕ，７４ｄの操作によって、ＶＣＲ予約録画エリア又はＤＶＤ予約録画エリアいずれか一方のタイマー予約録画の登録内容の表示が順番に切り替えられ、左右の方向スイッチ７４ｌ，７４ｒによって、ＶＣＲ予約録画エリアのタイマー予約録画の登録内容とＤＶＤ予約録画エリアのタイマー予約録画の登録内容とが切り替えられる構成になっている。
【００６５】
次に、このようにして登録されたタイマー予約録画の録画再生装置１による実行について説明する。
【００６６】
まず、録画再生装置１は、タイマー予約録画設定スイッチ６９の操作によって、タイマー予約録画エリアのＶＣＲ予約録画エリア、ＤＶＤ予約録画エリアにタイマー予約録画が登録されていると、ＶＣＲ１１，ＤＶＤレコーダ１２はタイマー予約録画の待機状態になっているものとして、現在の時刻がＶＣＲ予約録画エリア、ＤＶＤ予約録画エリアに登録されているタイマー予約録画のタイマー予約録画開始時刻になったか否かを監視する。
【００６７】
ここでは、現在時刻が、ＶＣＲ予約録画エリアに登録されている、ＶＣＲ１１を指定したタイマー予約録画のタイマー予約録画開始時刻になったのを、録画再生装置１の制御手段４０が検出した場合を例に説明する。
【００６８】
録画再生装置１の制御部４０は、現在時刻が、第１の録画部１０としてのＶＣＲ１１のタイマー予約録画のタイマー予約録画開始時刻になったことを検出すると、ＶＣＲ１１と同様に、内部入力スイッチ部３２（図３参照）を介してチューナ部３１に接続可能とされ、チューナ部３１から所望の番組のタイマー予約録画が行えるＤＶＤレコーダ１２について、タイマー予約録画の実行状態の確認を行う。
【００６９】
この確認は、制御部４０が、ＤＶＤ予約録画エリアにタイマー予約録画が登録されているか否か、ＤＶＤ予約録画エリアにタイマー予約録画が登録されている場合は、ＤＶＤ予約録画エリアに登録されているタイマー予約録画の内容を参照して、現在時刻，すなわちＶＣＲ１１による当該タイマー予約録画のタイマー予約録画開始時刻が、ＤＶＤレコーダ１２によるタイマー予約録画におけるタイマー予約録画開始時刻及びタイマー予約録画終了時刻との関係で、どのようなタイミングであるのかを判定する。
【００７０】
図５は、ＶＣＲによるタイマー予約録画におけるタイマー予約録画開始時刻と、ＤＶＤ予約録画エリアに登録されているＤＶＤレコーダによるタイマー予約録画との関係を示すタイミングチャートである。
【００７１】
録画再生装置１の制御部４０は、検出したＶＣＲ１１によるタイマー予約録画におけるタイマー予約録画開始時刻Ｔが、ＤＶＤ予約録画エリアに登録されているＤＶＤレコーダ１２によるタイマー予約録画との関係で、図５における、“Ａ０”〜“Ａ３”に示した、いずれの時間範囲に属するかを判定する。
【００７２】
ここで、時間範囲“Ａ０”〜“Ａ３”は次のような時間範囲になっている。
“Ａ０”：ＤＶＤレコーダ１２によるタイマー予約録画のタイマー予約録画開始時刻よりも一定時間ｔ以上も前。
“Ａ１”：ＤＶＤレコーダ１２によるタイマー予約録画のタイマー予約録画開始時刻よりも一定時間ｔの範囲内で前。
“Ａ２”：ＤＶＤレコーダ１２によるタイマー予約録画のタイマー予約録画開始時刻よりも一定時間ｔの範囲内で後。
“Ａ３”：ＤＶＤレコーダ１２によるタイマー予約録画のタイマー予約録画開始時刻よりも一定時間ｔ以上も後。
【００７３】
そして、録画再生装置１の制御部４０は、この判定に基づき、次に述べるように、ＶＣＲ１１によるタイマー予約録画を制御する。
【００７４】
まず、ＤＶＤ予約録画エリアにタイマー予約録画が登録されていない場合、またＤＶＤレコーダ１２によるタイマー予約録画がＤＶＤ予約録画エリアにあっても、ＶＣＲ１１によるタイマー予約録画のタイマー予約録画開始時刻Ｔが、時間範囲“Ａ０”にある場合、現在、チューナ部３１はＤＶＤレコーダ１２によるタイマー予約録画から解放されており、ＶＣＲ１１のタイマー予約録画の実行に利用可能な状態になっていることから、制御部４０は、タイマー予約録画開始時刻になったことが確認されたタイマー予約録画を実行する。
【００７５】
すなわち、制御部４０は、当該タイマー予約録画の内容に基づき、制御信号をチューナ部３１に出力してチューナ部３１を作動させ、当該タイマー予約録画に対応する選局を行わせる。また、制御部４０は、制御信号を内部入力スイッチ部３２に出力し、チューナ部３１の出力をＶＣＲ１１の録画入力に接続する。さらに、制御部４０は、ＶＣＲ１１に制御信号を出力し、ＶＣＲ１１を録画作動させて、チューナ部３１から供給される映像音響信号の録画を開始させる。
【００７６】
次に、ＤＶＤレコーダ１２によるタイマー予約録画がＤＶＤ予約録画エリアにあっても、タイマー予約録画ＶＣＲ１１によるタイマー予約録画のタイマー予約録画開始時刻Ｔが、時間範囲“Ａ１”にある場合、録画再生装置１の制御部４０は、予め優先タイマー予約選択スイッチ７１の選択操作によって、第２の録画部１０のＤＶＤレコーダ１２が、第１の録画部１０のＶＣＲ１１に対して、タイマー予約録画に関しての優先録画部に設定されているか否かを確認する。
【００７７】
この結果、ＤＶＤレコーダ１２がＶＣＲ１１に対して、タイマー予約録画に関しての優先録画部ではない場合は、時間範囲“Ａ０”である場合と同様に、現在、チューナ部３１はＤＶＤレコーダ１２によるタイマー予約録画から解放されており、ＶＣＲ１１のタイマー予約録画の実行に利用可能な状態になっていることから、制御部４０は、タイマー予約録画開始時刻になったことが確認されたタイマー予約録画を実行する。
【００７８】
これに対して、ＤＶＤレコーダ１２が、ＶＣＲ１１に対して、タイマー予約録画に関しての優先録画部である場合は、制御部４０は、タイマー予約録画開始時刻になったことが確認されたＶＣＲ１１によるタイマー予約録画を実行せず、タイマー予約録画の待機状態の継続をさせる。
【００７９】
これにより、後にＤＶＤレコーダ１２によるタイマー予約録画がタイマー予約録画開始時刻となったときには、このＶＣＲ１１によるタイマー予約録画の実行が行われず、タイマー予約録画の待機状態の継続となっているので、チューナ部３１はＶＣＲ１１によるタイマー予約録画から解放された利用可能状態になっているから、録画再生装置１の制御部４０は、後にタイマー予約録画開始時刻となったＤＶＤレコーダ１２によるタイマー予約録画を実行させることができる。
【００８０】
また、ＶＣＲ１１によるタイマー予約録画のタイマー予約録画開始時刻Ｔが、時間範囲“Ａ２”にある場合、録画再生装置１の制御部４０は、ＶＣＲ１１が、予め優先タイマー予約選択スイッチ７１の選択操作によって、ＤＶＤレコーダ１２に対して、タイマー予約録画に関しての優先録画部になっているか否かを確認する。
【００８１】
そして、制御部４０は、ＶＣＲ１１がタイマー予約録画に関しての優先録画部になっていることが確認されると、ＤＶＤレコーダ１２によるタイマー予約録画のタイマー予約録画開始時刻が先であるにもかかわらず、後からタイマー予約録画開始時刻となったＶＣＲ１１によるタイマー予約録画を実行する。これは、ＤＶＤレコーダ１２によるタイマー予約録画が、第１の録画部１０のＶＣＲ１１がタイマー予約録画に関しての優先録画部になっていることによって、タイマー予約録画を実行せず、タイマー予約録画の待機状態の継続をしたためである。これにより、ＶＣＲ１１は後からタイマー予約録画開始時刻となったにもかかわらず、その際でも、チューナ部３１は解放され利用可能な状態になっていたためである。
【００８２】
これに対して、ＶＣＲ１１によるタイマー予約録画のタイマー予約録画開始時刻Ｔが、時間範囲“Ａ２”にある場合、録画再生装置１の制御部４０は、ＶＣＲ１１が、予め優先タイマー予約選択スイッチ７１の選択操作によって、ＤＶＤレコーダ１２に対して、タイマー予約録画に関しての優先録画部になっていない場合は、制御部４０によって、ＤＶＤレコーダ１２によるタイマー予約録画のタイマー予約録画開始時刻が先で、ＤＶＤレコーダ１２によるタイマー予約録画が行われてしまっており、そのためにチューナ部３１はＤＶＤレコーダ１２によるタイマー予約録画によって利用されてしまっているため、ＶＣＲ１１によるタイマー予約録画は実行できない。
【００８３】
この場合、録画再生装置１の制御部４０は、ＤＶＤレコーダ１２によるタイマー予約録画の内容と、ＶＣＲ１１によるタイマー予約録画の内容とを参照して、両者のタイマー予約録画のチャンネルが同一であるか否かを判別する。この判別の結果、チャンネルが同一である場合は、制御部は、制御信号を内部入力スイッチ部３２に出力し、チューナ部３１の出力を既に接続済のＤＶＤレコーダ１２の録画入力に加えて、ＶＣＲ１１の録画入力にも接続する。さらに、制御部４０は、ＶＣＲ１１に制御信号を出力し、ＶＣＲ１１を録画作動させて、チューナ部３１から供給される映像音響信号の録画を開始させる。
【００８４】
この結果、ＤＶＤレコーダ１２によるタイマー予約録画とＶＣＲ１１によるタイマー予約録画の内容が同一チューナ部の同一チャンネルである場合は、複数の録画部１０によるタイマー予約録画の同時実行を許容する。
【００８５】
これにより、ユーザは、ＶＣＲ１１及びＤＶＤレコーダ１２といった複数の録画部に同一のタイマー予約録画を実行させることができ、複数の記録メディアにチューナ部３１の映像音響信号を録画可能になり、コピー作成のためのダビングの必要もなくなる。
【００８６】
これに対して、両者のタイマー予約録画のチャンネルが同一でない場合は、制御部４０は、タイマー予約録画が実行できないＶＣＲ１１側の表示部２７に「
タイマー予約録画ができない」旨の警告表示を行わす。
【００８７】
この警告によって、ユーザは、タイマー予約録画開始時間に新たになったＶＣＲ１１側のタイマー予約録画が実行できないことを認識することにより、現在実行されているこのＤＶＤレコーダ１２によるタイマー予約録画が、本当に欲しているタイマー予約録画か否かの判断を促すことができる。
【００８８】
なお、この警告に基づき、ユーザがこのＤＶＤレコーダ１２によるタイマー予約録画を中断し、ＤＶＤレコーダ１２がチューナ部３１を解放した場合は、制御部４０は、上述の警告表示を中止させる構成になっている。
【００８９】
なお、ＶＣＲ１１によるタイマー予約録画のタイマー予約録画開始時刻Ｔが、時間範囲“Ａ３”にある場合については、制御部４０は、上記した、ＶＣＲ１１によるタイマー予約録画のタイマー予約録画開始時刻Ｔが、時間範囲“Ａ２”にある場合で、録画再生装置１の制御部４０は、ＶＣＲ１１が、予め優先タイマー予約選択スイッチ７１の選択操作によって、ＤＶＤレコーダ１２に対して、タイマー予約録画に関しての優先録画部になっていない場合と同様の処理を行うことになる。
【００９０】
本実施の形態の録画再生装置１は、以上説明したとおりであるが、優先タイマー予約選択スイッチ７１による優先録画部の選択は、ユーザが録画再生装置１の使用に際して予め設定しておく構成に限らず、複数の録画部のタイマー予約録画の重複が一定時間ｔの範囲で生じたときに、操作を行い選択する構成とすることも可能である。
【００９１】
この場合、制御部４０が、タイマー予約録画した番組の履歴情報とその履歴情報に基づく番組リストを作成し、上記複数の録画部のタイマー予約録画の重複が一定時間ｔの範囲で生じたときに、この番組リストを表示出力部８５にＯＳＤ表示し、これを参考にしながら、ユーザに優先録画部を選択させる構成としてもよい。
【００９２】
なお、本発明は上記実施の形態に限定されるものではない。例えば、複数の録画部はＶＣＲやＤＶＤに限るものではない。また優先録画部の選択は、工場出荷時に固定化することも可能である。
【００９３】
【発明の効果】
本発明によれば、複数の録画部を装置本体に備え、この複数の録画部それぞれにタイマー予約録画を登録可能な録画装置に関し、まず、複数の録画部毎のタイマー予約録画それぞれを、録画部毎に独立して登録又は表示することが可能になる。
【００９４】
また、登録可能なタイマー予約録画の数が予め録画部毎に独立して制限され、複数の録画部それぞれを有効に利用することができる。
また、複数の録画部毎のタイマー予約録画それぞれを、録画部毎に独立して登録又は表示することができるので、一方の録画部がチューナからのタイマー予約録画を実行している場合に、この一方の録画部のタイマー予約録画と異なるチャンネルで、他の録画部がチューナからのタイマー予約録画を開始しようとしても、その実行を行わせないとともに、この実行できない他の録画部によるタイマー予約録画を報知して、ユーザにそれが本来欲しているタイマー予約録画であるか否かを判断させることができる。
【００９５】
また、複数の録画部毎のタイマー予約録画それぞれを、録画部毎に独立して登録又は表示することができるので、複数の録画部それぞれのタイマー予約録画の開始時刻が一定時間の範囲で同一とみなされる場合に、何れの録画部を優先するかを設定しておくことでき、予約録画時刻が重複する場合でも、確実に所望のタイマー予約録画を実行させることができる。
【００９６】
また、複数の録画部それぞれのタイマー予約録画の開始時刻が一定時間の範囲にて同一だった場合に、何れの録画部を優先するかを設定しておくことできるので、優先する録画部の設定に際し、履歴情報と番組リストの少なくもいずれか一方を報知することにより、確実に所望のタイマー予約録画を実行させることができる。
【００９７】
また、複数の録画部それぞれの予約録画時刻が重複している場合でも、タイマー予約録画すべきチャンネルが同一チャンネルの場合には、同時にタイマー予約録画を可能とし、複数の記録媒体（メディア）に同時に録画することができる。
【図面の簡単な説明】
【図１】本発明の一実施の形態による録画再生装置の外観正面図である。
【図２】本実施の形態の録画再生装置のシステム構成図である。
【図３】内部入力スイッチ部の構成図である
【図４】予約確認スイッチの操作に基づくタイマー予約録画の登録内容の表示例である。
【図５】ＶＣＲによるタイマー予約録画におけるタイマー予約録画開始時刻と、ＤＶＤ予約録画エリアに登録されているＤＶＤレコーダによるタイマー予約録画との関係を示すタイミングチャートである。
【符号の説明】
１  録画再生装置
２  装置本体
３  カセット装填口
４  ディスク装填用トレイ
５  表示／操作部
１０  録画部
１１  ＶＣＲ
１２  ＤＶＤレコーダ
２１  本体ＶＣＲ操作スイッチ
２２  本体ＤＶＤ操作スイッチ
２３  本体電源スイッチ
２４  外部入力端子
２５  外部出力端子
２６  ＶＣＲ／ＤＶＤ出力切換スイッチ
２７  表示部
２８  表示部
２９  Ｒ／Ｃ信号受信部
３１  チューナ部
３２  内部入力スイッチ部
３３  外部出力スイッチ部
３４  ＯＳＤ信号生成部
３５  ＯＳＤ信号合成部
４０  制御部
６０  リモコン操作部
６１  各種操作スイッチ
６２  表示部
６３  Ｒ／Ｃ信号発信部
６６  電源スイッチ
６７  ＶＣＲ／ＤＶＤリモコン切換スイッチ
６８  ＶＣＲ／ＤＶＤ出力切換スイッチ
６９  タイマー予約録画設定スイッチ
７０  予約確認スイッチ
７１  優先タイマー予約選択スイッチ
７２  ＶＣＲ操作スイッチ
７３  ＤＶＤ操作スイッチ
７４  方向スイッチ
７５  決定スイッチ
８５  表示出力部
８６  表示部
８７  スピーカ部
【図１】
2004236209.tif 000003
【図２】
2004236209.tif 000004
【図３】
2004236209.tif 000005
【図４】
2004236209.tif 000006
【図５】
2004236209.tif 000007